(57)【要約】【課題】箱底面水濡れを防止し、及び泥又は野菜残渣が付着する事を防ぎ、未収穫野菜の外葉の損傷を軽減し、箱詰め作業者に最適な作業姿勢を提供し、吸湿紙の格納スペースを確保して、箱詰め作業を省力化することを課題とする。【解決の手段】斜め箱詰め台を圃場と箱詰めの箱の間に介在させ、箱を斜めに安定して保持し、箱底面の斜度を変更する機能を備え、一斉収穫に最適な高さと抜き取り収穫に最適な高さを切り替え可能とし、且つ、傾斜畑、異なる畝の高さや、作業者の体形に対応する高さを調整可能とし、４本の脚の底面の中心点を結ぶ形状を略正四角形として、同一位置で四方向に旋回設置できる構造とし、又４本の脚の下端部の足の形状を異なるものと選択交換可能にして、吸湿紙の格納スペースを備えた。【選択図】図１
2018198588.tif 000002
【特許請求の範囲】
【請求項１】
一条植えの露地野菜生産の圃場内で、１本の畝を跨いで隣り合う２本の畝溝又は１本の畝溝を跨いで隣り合う２本の畝の頂面に立脚して仮設置し、移動と仮設置を繰り返しながら、箱詰め作業を補助する斜め箱詰め台にあって、
当該斜め箱詰め台は、主水平フレーム、四本の脚及び斜め箱受け台を主要構成要素とし、
前記主水平フレームは、同フレームの四隅に前記四本の脚を垂直下方に設け、
前記斜め箱受け台は、同受け台に乗せる箱の底面を支持する底面支持部材と一側面を支持する側面支持部材で構成し、前記底面支持部材と前記側面支持部材の両面はお互いに直交し、前記主水平フレームの上部に作業者の希望する角度で固定し、
前記主水平フレーム内、又は前記斜め箱受け台の底面支持部材の裏面、又は前記両者に吸湿紙格納スペースを備えることを特徴とする斜め箱詰め台。
【請求項２】
請求項１に記載の斜め箱詰め台の前記四本の脚にあって、
同四本の脚は、同脚の接地点の中心を結ぶ四角形の仮想線が略正方形で、同正方形の一辺の長さは畝立てピッチと略同じ長さとする構造を特徴とする斜め箱詰め台。
【請求項３】
請求項１又は２に記載の斜め箱詰め台にあって、
前記斜め箱受け台の斜度を変更可能とする構造を特徴とする斜め箱詰め台。
【請求項４】
請求項１、２又は３に記載の斜め箱詰め台の前記主水平フレームにあって、
同フレームの４隅に前記四本の脚を取り付ける脚取付け座を設け、
長さの異なる脚、脚先端の接地部の足が異なる形状や異なる機能を備える脚を、仕様に合わせて交換する構造を特徴とする斜め箱詰め台。
【請求項５】
請求項１又は３に記載の斜め箱詰め台にあって、
前記四本の脚を省略し、
前記主水平フレーム底面全体を足とし、１本の畝溝を跨ぎ２本の畝頂面に掛け渡して設置する構造を特徴とする斜め箱詰め台。
【発明の詳細な説明】
【技術分野】
【０００１】圃場内で収穫物を箱詰め作業するに当たり、箱を中空に安定して保持し、箱の開口面は作業者に向き合うように斜めに保持し、同開口面の角度が作業体系及び作業者の体形に適した、収穫箱詰め作業を最適に補助する斜め箱詰め台に関する。
【背景技術】
【０００２】一条植えのレタス、白菜、キャベツ等、一般に重量葉物野菜に分類される野菜の収穫作業には、決められた区画の端から全てを収穫する通称「一斉収穫」と、出荷サイズに成長した作物を選択して収穫する通称「抜き取り収穫」がある。【０００３】抜き取り収穫では、特に収穫初期の段階では、箱を置くスペースに困る事が多く、一斉収穫の予定の圃場でも、作物の成長が不揃いで、収穫初期に抜き取り作業をする場合があり、若干収穫が進むと、収穫した株後に空箱を配置するが、作業者はその箱に向かって収穫物を一つ一つ運んで箱詰めするが、中腰での作業となる。【０００４】野菜の収穫は、市場到着時間に大きく制約を受け、集・出荷時間に合わせ、鮮度を保つために早朝から収穫作業を行うが、箱を直接圃場に置くと、降雨又は朝露の影響で、ダンボール箱が濡れ、ダンボール箱及びプラスチック箱の底面に泥や残渣が付着し、出荷先より強いクレームを受けるので、作業中は底面の汚れに配慮し、又底面を拭く作業が付帯する。【０００５】一斉収穫では、畝を跨ぎ畝溝に膝をつき、作物の切り取り及び箱詰め作業を行う場合と、中腰で行う場合があり、切り取り作業と箱詰め作業を分業で行う場合も多く、圃場内におおよその目安で空箱を配置し、その空箱を移動させるか、作業者が空箱に向かって移動して箱詰めを行うが、サニーレタス等の葉っぱの広がりが強いものは葉の広がりを抑える方向の力が必要で、プラスチック箱などを利用して箱を約４５〜６０度に保って作業をする作業者、運搬台車の足まわり等に約７０〜８０度に斜めに立てかけてする作業者もいるが、プラスチック箱は極めて不安定であり、運搬台車は最適な作業位置から遠い場合が多く、
又、固く結球する白菜やキャベツ等は強く押し込む必要があり、前記プラスチック箱及び運搬台車等の利用は困難である。【０００６】４本の車輪を備え、一つの畝を跨いで畝溝を車輪が転動する斜め箱詰め台車があり、同台車は箱を４〜５箱搭載する能力を備えたものが主で、箱は畝と直交する方向に斜めに置く構造で、箱の傾斜角度を調整できるもの、及び荷台の高さを、車輪外径より少し高い位置又は車輪軸芯より少し高い位置に調整できるものが有るが、畝の頂面近くまで下げることができないので、膝を付いて作業する人には利用しがたい難点がある。【０００７】４本の車輪を備え、二つの畝を跨いで畝溝を車輪が転動する斜め箱詰め台車があり、同台車は箱を４〜５箱搭載する能力を備えたものが主で、箱は畝と直交する方向に斜めに置く構造で、
箱の傾斜角度を調整できるもの、及び荷台の高さを任意の高さに調整できるもの、
両方向から作業ができ、且つ箱を水平に置くことができるものが有るが、
構造が複雑になり重量が増し、コスト高となり、回送にも畝変えにも難が有る。【０００８】前記二種類の４本の車輪を備えた斜め箱詰め台車は、抜き取り収穫では、未収穫の作物の外葉を車輪が踏みつける難があり、一斉収穫の場合も未収穫の区画に乗り入れることがあり、未収穫の区画を区分する畝溝を車輪が移動する場合があり、外葉を車輪が踏みつける難が有る。【０００９】大規模な生産者でも、箱を直接圃場に配置して箱詰め作業をする農家が多数を占める。【００１０】箱詰めに当たり、吸湿紙を底敷きしたり、二段詰めの中間に敷いたり、生産者の名前入りの紙や古新聞紙等を詰めものの上部を覆う被せ物に使ったりするが、前記紙類のハンドリングに難渋している。
尚、以後、吸湿紙、生産者の名前入りの紙及び古新聞等を一括して吸湿紙と表記する。
【先行技術文献】
【特許文献】
【００１１】
【特許文献１】特開２０１５−０６３２９２号公報
【発明の概要】
【発明が解決しようとする課題】
【００１２】箱底面水濡れを防止し、及び泥又は野菜残渣が付着する事を防ぎ、未収穫野菜の外葉の損傷を軽減し、箱詰め作業者に最適な作業姿勢を提供し、吸湿紙の格納スペースを確保して、作業を楽にし、歩数を減じ、作業時間を短縮し、生産コスト削減に貢献する事を課題とする。
【課題を解決するための手段】
【００１３】四本の脚又は一枚の足を備える箱詰め台を圃場と箱詰めの箱の間に介在させることとし、
箱を斜めに安定して保持する構造と、箱底面の斜度を変更可能な構造を備え、
箱の中空位置の高さを、一斉収穫に最適な高さ、及び抜き取り収穫に最適な高さを切り替え可能な構造を備え、且つ、圃場により異なる畝の高さや、作業者の体形に起因する最適高さを調整可能な構造とし、他方、四本の脚の底面の中心点を結ぶ形状を略正四角形として、同一位置で四方向に旋回設置できる構造を提案し、
又四本の脚の下端部の足の形状を、短い移動距離に対応するために、滑動橇形状又は転動コマを選択して交換可能にして、
吸湿紙の格納スペースを主フレーム内又は斜め箱受け台、又は両者に備えた。
【発明の効果】
【００１４】箱が濡れる事、泥や残渣が付着する事を防ぐことができる、
未収穫の作物の外葉を傷める量を少なくでき、
吸湿紙のハンドリングが容易になり、
許容範囲内で作業者の最も望ましい低さと傾斜角度に箱を安定して保持でき、
脚の長さを調整すると、一斉収穫、抜き取り収穫及び傾斜畑にも対応でき、
脚先端の足の選択で畝の頂面又は畝溝に設置可能とし、横移動も容易にし、
同一位置で四方向に旋回設置が可能で、作業の方向を四方向から選択でき、
畝溝や畝頂面の幅と脚先端の足の幅のゆとりの範囲で旋回設置も可能で、
作業者が箱詰めする箱に対し、最適な作業姿勢で作業ができるので、肉体の負担が軽減し、歩数を減じ、作業時間が短縮し、生産コストが低減す。
【図面の簡単な説明】
【００１５】
【図１】本発明の一実施形態に係る斜め箱詰め台の概略側面図。
【図２】本発明の一実施形態に係る斜め箱詰め台の概略正面図。
【図３】図２の斜め箱詰め台のＡ−Ａ線矢視概略断面図。
【図４】本発明の一実施形態に係る斜め箱詰め台の概略平面図。
【図５】図１の斜め箱詰め台より斜め箱詰め台に関する事項を省略し、短脚を装着した図（ａ）と長脚を装着した図（ｂ）の比較参照図。
【図６】脚の中間を省略した上端部と下端部の概略鳥瞰図で、３種類の足の例、ベタ足（ｃ）、橇足（ｄ）、コマ足（ｅ）、を示す図。
【図７】脚の中間を省略した上端部と下端部の概略鳥瞰図で、二本の脚で一枚の橇板を支持する図。
【図８】主水平フレーム底面を足とする斜め箱詰め台の概略側面図。
【発明を実施するための形態】
【００１６】以下、図面を参照しつつ、本発明の実施の形態の一例を説明する。
【００１７】本発明の斜め箱詰め台１は、主フレーム３、四本の脚４及び斜め箱受け台２、及び吸湿紙格納スペース５を主要構成要素とする。
【００１８】  〔主水平フレーム〕
主水平フレーム３は、前部横梁３１、後部横梁３２、左縦梁３３及び右縦梁３４の４本の梁で枠形状を構成し、
同フレーム３の四隅に脚取付け座３５を備え、同座３５に脚４を備え、前記脚４で圃場内に立脚し、
又同フレーム３の底面に主フレーム吸湿紙格納スペース底板５２１を備え、前記４本の梁と共に主フレーム吸湿紙格納スペース５２を構成し、
又、主水平フレーム３の上面・上部に斜め箱受け台２を斜めに備える構造とした。
【００１９】  〔斜め箱受け台〕
斜め箱受け台２は、箱の底面を支持する底面支持部材２１、箱の一側面を支持する側面支持部材２２、固定兼回動ブラケット２３、及び斜め箱受け台吸湿紙格納スペース底板５１１を構成要素とし、斜め箱受け台吸湿紙格納スペース５１を形成して、支柱６で斜めに保持している。
【００２０】  〔斜め箱受け台の取り付け位置と斜度〕
図１に示す斜め箱受け台２の底面支持部材２１の斜度は、支柱６を支持支柱上部固定ボルト又はボルト穴２５１及び支持支柱下部固定ボルト又はボルト穴６１１に固定して約６０度に保たれた図を示し、（底面支持部材２１の斜度を単に斜度と表記する場合がある）
支柱６を支持支柱上部固定ボルト又はボルト穴２５２及び支持支柱下部固定ボルト又はボルト穴６１２に固定すると斜度は約４５度となり、
支持支柱上部固定ボルト又はボルト穴２５３及び支持支柱下部固定ボルト又はボルト穴６１３に固定すると斜度は約３０度となり、
支柱６を斜めに固定すると異なる斜度に設定でき、又支柱６の長さを変更しても斜度を変更でき、
斜度を７０度、８０度と大きく設定する場合は、ブラケット固定兼回動ボルト又はボルト穴２４の位置を前部横梁３１と後部横梁３２の間の中央寄りに移設し、
斜度を２０度、１５度１０度と小さく設定する場合は、ブラケット固定兼回動ボルト又はボルト穴２４の位置を前部横梁３１に寄せて移設する。
【００２１】  〔脚〕
図５の（ａ）に示す短脚４１は、主に一斉収穫で作業者が畝を跨いで畝溝に膝を着いて作業する場合に用い、畝頂面近くに主フレーム底面が位置する高さを標準に、作業者の体形や畝の高さ等に合わせて若干の調整機能を付加するために、図６及び図７に示す如く、脚上端部に脚固定ボルト穴４４を多段に設け、
図５の（ｂ）に示す長脚４２は、主に抜き取り収穫の場合に作業者が畝を跨いで畝溝に立って中腰で作業する場合に用い、作物８の先端近くに主フレーム底面が位置する高さを標準に、作業者の体形や畝の高さ等に合わせて若干の調整機能を付加するために、図６及び図７に示す如く、脚上端部に脚固定ボルト穴４４を多段に設け、
斜め箱詰台１を畝頂面に立脚して使用する場合の脚４の長さは短脚４１及び長脚４２の長さから略畝の高さを減じたものを利用することが標準となる。
又、四本の脚４の一対の横幅と縦幅において、少なくとも一方の幅は畝立てピッチ７１と略同じ寸法とし、
又、前記四本の脚４の一対の横幅と縦幅の両幅を畝立てピッチ７１と略同じ寸法とすると、同じ位置で、９０度又は１８０度方向転換をして別方向から作業ができる構造を提供できる。
又、同一高さの脚では不都合が生じる傾斜畑では、個別に脚の高さを調整するか、又は長さの異なる脚を用いて対応することとし、
短脚４１と長脚４２は、長脚４２に短脚４１と同じ位置にボルト穴４４を追加して設けてもよいが、短脚４１として利用する場合は、脚上部が主水平フレーム３の上部に飛び出して作業の邪魔となる難点がある。
尚、図５は畝溝に立脚する様子を示すが、畝頂面へ立脚して使用してもよい。
【００２２】  〔足〕
図１〜図５に示す脚４の先端接地部分の足４３は、接地面が平らなベタ足４３１で表記しているが、主として抜き取り収穫での中腰の作業で、比較的離れた距離を点々と移動する場合に適しているが、
特に一斉収穫の場合は、少しの移動を繰り返し、斜め箱詰め台１の移動も持ち上げての移動は不向きであるので、足４３が滑動しやすい橇形状の橇足４３２及び転動させるために小さな径の車輪を備えたコマ足４３３を選択部品として備え、
【００２３】  〔足の種類〕
図６及び図７に４種類の足を備えた脚を図示したが、
図６−（ｃ）は脚の先端に平面接地するベタ足４３１を備えたもので、ベタ足は方向性が無いので脚固定ボルト穴４４は１方向にのみ設け、脚の高さ調整の目的に脚固定ボルト穴４４を３段に設け、
図６−（ｄ）は脚の先端に滑動に適した橇形状の橇足４３２を備えたもので、橇足４３２は方向性があるので脚固定ボルト穴４４は２方向に設け、脚の高さ調整の目的に脚固定ボルト穴４４を３段に設け、
図６−（ｅ）は脚の先端に転動に適した小径の車輪であるコマを組み込んだコマ足４３３を備えたもので、コマ足４３２は方向性があるので脚固定ボルト穴４４は２方向に設け、脚の高さ調整の目的に脚固定ボルト穴４４を３段に設け、
図７に示す足は、長い橇状の一つの足を２本の脚で支持する二脚一足の足４３４を示し
二脚一足の足４３４は、方向性があるので脚固定ボルト穴４４は２方向に設け、脚の高さ調整の目的に脚固定ボルト穴４４を３段に設けた。
尚、脚を溶接等で強固に固定して用いるものは、脚取付け座３５及び脚固定ボルト穴は不要である。
【００２４】  〔脚を省略した一枚足の斜め箱受け台〕
図８に示す斜め箱詰め台１は
四本の脚４を省略し、主水平フレーム３の底面が直接接地する一枚の足、一枚足４３５として備え、
斜め箱詰め台１を１本の畝溝を跨いで２本の畝頂面に掛け渡して配置する構造で、任意の角度に旋回設置が可能であるが、
斜め箱詰め台１の横幅又は縦幅、又は両幅とも畝立てピッチ７１より少し広い目が良く、その上限は前記２本の畝の略外々の幅とすると斜め箱詰め台１旋回範囲を大きくでき、
又、作業者の反対側の、作業進行方向の一枚足４３５の先端部に橇形状部材４３５１を設けて滑動を滑らかにしたが、一枚足４３５の後端部や左右の端部に橇形状部材４３５１を設けると、斜め箱詰め台１の前後左右の設置位置調整に有効である。
尚、足４３５は、主フレーム吸湿材格納スペース底板５２１を兼ねる。
【００２５】  〔吸湿紙格納スペース〕
斜め箱受け台２の真下にある主フレーム３の四角い枠を利用して主フレーム吸湿紙格納スペース底板５２１を設けて吸湿紙格納スペース５２を形成する事で、作業者の前面で吸湿紙を抜き出すことがきる構造とした。
又、斜め箱受け台２の底面支持部材２１の背面に斜め箱受け台吸湿紙格納スペース底板５１１を設けることで、吸湿紙格納スペース５１を形成し、中腰で作業する他の作業者も容易に吸湿紙を抜き取り利用できる構造とした。
【産業上の利用の可能性】
【００２６】以上のように、本発明の斜め箱詰め台は、一斉収穫と抜き取り収穫に対応し、傾斜畑にも対応しており、作業効率が良く、作業者の肉体負荷を軽減できる。そのために、圃場内での作物の収穫作業に好適に使用でき、圃場外の作業場や平畝や幅広の畝の圃場でも転用十二分に可能である。
【符号の説明】
【００２７】１      斜め箱詰め台
２      斜め箱受け台
２１    底面支持部材
２２    側面支持部材
２３    固定兼回動ブラケット
２４    固定兼回動ブラケット固定ボルト又はボルト穴
２５    支持支柱上部固定ボルト又はボルト穴
２５１  斜度が約６０度対応
２５２  斜度が約４５度対応
２５３  斜度が約３０度対応
３      主フレーム
３１    前部横梁
３２    後部横梁
３３    左縦梁
３４    右縦梁
３５    脚取り付け座
３５１  脚固定ボルト又はボルト穴
４      脚
４１    短脚
４２    長脚
４３    足（脚最下部の接地部）
４３１  ベタ足
４３２  橇足
４３３  コマ足
４３４  二脚一足の足
４３５  一枚足
４３５１一枚足の橇部材
４４    脚固定ボルト穴
５      吸湿紙格納スペース
５１    斜め箱詰台吸湿紙格納スペース
５１１  斜め箱詰台吸湿紙格納スペース底板
５２    主フレーム吸湿紙格納スペース
５２１  主フレーム吸湿紙格納スペース底板
６      支持支柱
６１    下部固定ボルト又はボルト穴
６１１  下部固定ボルト又はボルト穴（斜度が約６０度対応）
６１２  下部固定ボルト又はボルト穴（斜度が約４５度対応）
６１３  下部固定ボルト又はボルト穴（斜度が約３０度対応）
７      畝
７１    畝立てピッチ
７２    畝頂面
７２１  畝頂面中央
７３    畝溝
７３１  畝溝中央
８      作物
８１    収穫後の切り株
【図１】
2018198588.tif 000003
【図２】
2018198588.tif 000004
【図３】
2018198588.tif 000005
【図４】
2018198588.tif 000006
【図５】
2018198588.tif 000007
【図６】
2018198588.tif 000008
【図７】
2018198588.tif 000009
【図８】
2018198588.tif 000010